(57)【要約】【課題】光ドロップケーブル等の引込線をメッセンジャーワイヤから家屋等に引き込む工事を容易にするとともに、所要部品点数が少なくコストを軽減し得る引込線引留工法を提供する。【解決手段】相対する内壁面１５ａ，１５ｂが開放方向に向かって間隔が次第に拡開するテーパ状に形成された窪所１５を螺子軸１２の基部に形成してなる引留具本体１０と、ナット２０とを使用し、窪所１５内底部に支持線２ｂを定置し、該支持線上に覆い被るようにメッセンジャーワイヤ１を該窪所１５に定置したうえで、螺子軸１２にナット２０を螺締することにより該窪所１５内に支持線２ｂとメッセンジャーワイヤ１を止着する。【選択図】図４
2016067091.tif 000002
【特許請求の範囲】
【請求項１】
窪所を螺子軸の基部に形成してなる引留具本体と、該螺子軸に螺合するナットとを使用し、前記窪所内底部に支持線を定置し、該支持線上に覆い被るようにメッセンジャーワイヤを該窪所に定置したうえで、前記螺子軸に前記ナットを螺締することにより該窪所内に前記支持線と前記メッセンジャーワイヤを止着することを特徴とする引込線引留工法。
【請求項２】
前記引留具本体の前記窪所は、相対する内壁面が開放方向に向かって間隔が次第に拡開するテーパ状に形成されていることを特徴とした請求項１に記載した引込線引留工法。
【発明の詳細な説明】
【技術分野】
【０００１】
本発明は、光ドロップケーブル等の引込線を電柱等のポール間に架設されたメッセンジャーワイヤから家屋等の加入者施設に引き込む引込線引留工法に関するものである。
【背景技術】
【０００２】
光ドロップケーブル（ドロップ型光ファイバケーブル）は、周知のようにポリエチレンシース内に支持線と光ファイバとを一体的に配設した引込線で、架空から家屋等の加入者施設への光ファイバ線の引き込みを容易にするものである。
図１１にポール間に架設されたメッセンジャーワイヤからこの光ドロップケーブルを家屋に引き込む際の従来から採られている構成を示す。同図中、１はポール間に架設されたメッセンジャーワイヤ、２は該メッセンジャーワイヤに沿って配設された光ドロップケーブルである。５０は該メッセンジャーワイヤ１に分線金物５１を用いて止着したフック金具である。５２は下記特許文献１等に示された引込線引留具で、該引込線引留具５２に突設された掛止環５３を前記フック金物５０に係合するとともに、光ドロップケーブル２の光ファイバ線２ａから支持線２ｂを部分的に分離させ、該支持線２ｂを該引込線引留具５２に巻き付けることにより光ドロップケーブル２が該メッセンジャーワイヤ１から分岐し、家屋等の加入者施設へ向けて方向転換されるようにしている。なお、２ｃは該光ドロップケーブル２の光ファイバ線２ａと支持線２ｂとの分離部に巻着した粘着テープである。
【０００３】
また、特許文献２には、引留具本体に螺子軸が形成され、該螺子軸にナットを締め込むことにより、メッセンジャーワイヤに止着できる引込線引留具が示されている。
【先行技術文献】
【特許文献】
【０００４】
【特許文献１】登録実用新案第３１１７５０９号公報
【特許文献２】特開２００３−２８４２２８号公報
【発明の概要】
【発明が解決しようとする課題】
【０００５】
ところで、図１１に示した引込線引留具５２を使用して引込工事をするに際しては、光ドロップケーブル２の弛度調整をするために該ケーブルを引っ張りながら、硬い鋼線からなる支持線２ｂを引込線引留具５２に巻き付けなければならないので、弛度調整がうまくできないと何度もやり直したり、鋼線がうまく曲げられないと巻付固定が完全にならずに張力が無くなったり外れるおそれがある。このためこのような作業に熟練と細心の注意と時間を要するものであった。また、特許文献１に示された引込線引留具を使用するに際しては、メッセンジャーワイヤや通信線補強用の支持線に固定するための分線金具のフック金具、ポールに固定するための分線金具のフック金具、家屋外壁面に固定する固定金具等、それぞれ別の金具を必要とするために、所要部品点数が多くなりコストが高くなるという問題があった。
【０００６】
また、特許文献２に示された引込線引留具を使用するに際しては、支持線を引き留めるための吊具が引留具本体とは別に必要であるとともに、該吊具が強風によって揺れ動くことで該引留具本体から脱落するおそれがあるという問題があるほか、該吊具は絡まり易い形状であったので工場から出荷するに際して梱包に苦慮するという問題がある。
本発明はこのような問題点を解決し得る引込線引留工法を提供するものである。
【課題を解決するための手段】
【０００７】
そのために本発明に係る引込線引留工法は、窪所を螺子軸の基部に形成してなる引留具本体と、該螺子軸に螺合するナットとを使用し、前記窪所内底部に支持線を定置し、該支持線上に覆い被るようにメッセンジャーワイヤを該窪所に定置したうえで、前記螺子軸に前記ナットを螺締することにより該窪所内に前記支持線と前記メッセンジャーワイヤを止着することを特徴とする。
また本発明は、上記引込線引留工法における前記窪所の相対する内壁面が開放方向に向かって間隔が次第に拡開するテーパ状に形成されていることを特徴とする。
【発明の効果】
【０００８】
本発明に係る引込線引留工法によれば、支持線巻付作業が不要であり、支持線とメッセンジャーワイヤとが同時に止着されるので引込線工事が容易になるとともに、強風等による脱落のおそれがない。また、所要部品点数が少ないので、コストが軽減される。
【図面の簡単な説明】
【０００９】
【図１】本発明に係る引込線引留工法にて使用する引留具本体の斜視図。
【図２】本発明に係る引込線引留工法にて使用する引留具本体の側面図。
【図３】本発明に係る引込線引留工法にて使用するナットの斜視図。
【図４】本発明に係る引込線引留工法の施工状態を示した斜視図。
【図５】図４のＡ−Ａ線断面拡大図。
【図６】図５のＢ−Ｂ線断面図。
【図７】本発明に係る引込線引留工法の施工状態を示した断面図。
【図８】図７のＣ−Ｃ線断面図。
【図９】本発明に係る引込線引留工法の施工状態を示した断面図。
【図１０】本発明に係る引込線引留工法の施工状態を示した断面図。
【図１１】従来の引込線引留工法の施工状態を示した斜視図。
【発明を実施するための最良の形態】
【００１０】
この引込線引留工法には、図１，図２に示した合成樹脂製の引留具本体１０と、図３に示した合成樹脂製のナット２０とを使用する。なお、メッセンジャーワイヤ１は図４に示したように複数の鋼線からなる撚線であり、光ドロップケーブル２はポリエチレンシース中に光ファイバ線２ａと支持線２ｂとを分離可能に一体的に配設してなるものである。
引留具本体１０は、基板部１１に螺子軸１２が一体に形成され、該螺子軸１２の基部を刳るような形態にて切込１３を形成し、該切込１３と相対するように突壁１４を該基板部１１の端縁に一体に形成することにより、メッセンジャーワイヤ１を定置し得る窪所１５を該螺子軸１２と突壁１４との間に形成してなる。なお、螺子軸１２と突壁１４とが相対する該窪所１５の内壁面１５ａ，１５ｂは開放方向に向かって間隔が次第に拡開するテーパ状に形成される。１７はこの引留具本体１０の各部の肉厚を均一化するために基板部１１の両側面に形成された凹部、１８も同様に螺子軸１２の肉厚を均一化するために形成された凹部である。なお、該凹部１８内であって、該螺子軸１２の先端部寄りに該螺子軸１２を横断状に貫通する貫通孔１９を形成してなる。
【００１１】
また、ナット２０は、前記螺子軸１２に螺合し得る雌螺子が内周面２１に形成され、一端部の外周縁２２は六角形に形成され、他端部の端面２３は円周方向に山波形が連なる凹凸面状に形成してなるものである。
【００１２】
この引留具本体１０とナット２０とを使用し、ポール間に架設されたメッセンジャーワイヤ１から光ドロップケーブル２を家屋等の加入者施設に引き込むに際しては、図４，図５にその施工状態を示したように、該メッセンジャーワイヤ１に沿って配設された光ドロップケーブル２の支持線２ｂを予め適当な部分で光ファイバ線２ａから分離させ、その分離部の両端部に粘着テープ２ｃを巻着する。そして、該支持線２ｂを前記引留具本体１０の窪所１５内底部に定置し、該支持線２ｂ上に覆い被るようにメッセンジャーワイヤ１を該窪所１５に定置したうえで、該引留具本体１０の螺子軸１２に前記ナットを螺締する。これにより支持線２ｂとメッセンジャーワイヤ１とを該窪所１５内に同時に止着し得る。その際、支持線２ｂの張力を勘案しながらナット２０を螺締することで、該光ドロップケーブル２の弛度調整を的確に行うことができる。なお、ナット２０は、螺子軸１２に螺締することにより凹凸面状の端面２３によりメッセンジャーワイヤ１を押圧し、その凹面部に該メッセンジャーワイヤ１が入り込むことで、該ナット２０の振動等による無用な弛みが防止される。こうして、メッセンジャーワイヤ１に沿って配設された光ドロップケーブル２を適当な位置で家屋等の加入者施設に向けて方向転換し配線することができる。
【００１３】
なお、窪所１５内底部にて支持線２ｂは、図５，図６に示したように螺子軸１２側に寄って位置させても、或いは図７，図８に示したように突壁１４側に寄って位置させてもよく、いずれの場合も該支持線２ｂは窪所１５の内底面と内壁面とメッセンジャーワイヤ１の外周面とによって囲まれ、ナット２０の締付加減を適度に設定することにより的確な弛度に調整された状態に保持される。さらには、図９に示したように、窪所１５内底部にて支持線２ｂがメッセンジャーワイヤ１に対して斜めに定置されていてもよい。
【００１４】
また、窪所１５の内壁面１５ａ，１５ｂは、開放方向に向かって間隔が次第に拡開するテーパ状に形成されていることから、メッセンジャーワイヤ１は、図５〜図９に示したやや太径のものから図１０に示したような細径のものまで、幅広い外径のメッセンジャーワイヤを該窪所１５内に安定的に定置させることができる。
【００１５】
なお、この実施形態はメッセンジャーワイヤから光ドロップケーブルを引き込む工法について説明したが、本発明に係る引込線引留工法は、光ドロップケーブルだけでなく、その他の通信線、電線等の引込線をメッセンジャーワイヤから家屋等の加入者施設に引き込む工法にも適用できる。
【符号の説明】
【００１６】
１                メッセンジャーワイヤ
２                光ドロップケーブル
２ａ              光ファイバ線
２ｂ              支持線
１０              引留具本体
１１              基板部
１２              螺子軸
１３              切込
１４              突壁
１５              窪所
１５ａ，１５ｂ    内壁面
２０              ナット
【図１】
2016067091.tif 000003
【図２】
2016067091.tif 000004
【図３】
2016067091.tif 000005
【図４】
2016067091.tif 000006
【図５】
2016067091.tif 000007
【図６】
2016067091.tif 000008
【図７】
2016067091.tif 000009
【図８】
2016067091.tif 000010
【図９】
2016067091.tif 000011
【図１０】
2016067091.tif 000012
【図１１】
2016067091.tif 000013